(57)【要約】【課題】異なる商品を扱う複数の電子ＰＯＰクライアントが提供する広告情報およびその再生順序を一括管理して、電子ＰＯＰクライアント毎のその提供する広告情報に関する設定を不要とすることが可能な電子ＰＯＰシステムを提供すること。【解決手段】電子ＰＯＰサーバ２は、電子ＰＯＰクライアント１Ｉｋ毎に、配信する複数の広告情報を決定するとともに、当該複数の広告情報の再生順序を規定する再生順序情報を作成して、電子ＰＯＰクライアント１Ｉｋに配信し、電子ＰＯＰクライアント１Ｉｋは、電子ＰＯＰサーバ２から配信される複数の広告情報を再生順序情報に従って表示部に再生する。【選択図】      図１
2004191666.tif 000002
【特許請求の範囲】
【請求項１】
広告情報を再生する複数の電子ＰＯＰクライアントと、前記複数の電子ＰＯＰクライアントに前記広告情報をネットワークを介して配信する電子ＰＯＰサーバとを含む電子ＰＯＰシステムにおいて、
前記電子ＰＯＰサーバは、
前記電子ＰＯＰクライアント毎に、配信する複数の広告情報を決定するとともに、当該複数の広告情報の再生順序を規定する再生順序情報を作成する配信内容作成手段と、
前記配信内容作成手段で決定された前記複数の広告情報と作成された前記再生順序情報を前記電子クライアントに配信する配信手段と、
を備え、
前記電子ＰＯＰクライアントは、
前記電子ＰＯＰサーバから配信される前記複数の広告情報および前記再生順序情報を受信する受信手段と、
情報を表示するための表示手段と、
前記複数の広告情報を前記再生順序情報に従って前記表示手段に再生させる表示制御手段と、
を備えたことを特徴とする電子ＰＯＰシステム。
【請求項２】
前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする請求項１に記載の電子ＰＯＰシステム。
【請求項３】
前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする請求項２に記載の電子ＰＯＰシステム。
【請求項４】
複数の電子ＰＯＰクライアントにネットワークを介して広告情報を配信する電子ＰＯＰサーバにおいて、
前記電子ＰＯＰクライアント毎に、配信する複数の広告情報を決定するとともに、当該複数の広告情報の再生順序を規定する再生順序情報を作成する配信内容作成手段と、
前記配信内容作成手段で決定された前記複数の広告情報と作成された前記再生順序情報を前記電子クライアントに配信する配信手段と、
を備えたことを特徴とする電子ＰＯＰサーバ。
【請求項５】
前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする請求項４に記載の電子ＰＯＰサーバ。
【請求項６】
電子ＰＯＰサーバからネットワークを介して配信される広告情報を再生する電子ＰＯＰクライアントにおいて、
前記電子ＰＯＰサーバから配信される、複数の広告情報および当該複数の広告情報の再生順序を規定する再生順序情報を受信する受信手段と、
情報を表示するための表示手段と、
前記複数の広告情報を前記再生順序情報に従って前記表示手段に再生させる表示制御手段と、
を備えたことを特徴とする電子ＰＯＰクライアント。
【請求項７】
前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする請求項６に記載の電子ＰＯＰクライアント。
【請求項８】
前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする請求項７に記載の電子ＰＯＰクアイアント。
【請求項９】
コンピュータが実行するためのプログラムにおいて、
複数の電子ＰＯＰクライアントにネットワークを介して広告情報を配信する電子ＰＯＰサーバに搭載されるコンピュータに、
前記電子ＰＯＰクライアント毎に、配信する複数の広告情報を決定するとともに、当該複数の広告情報の再生順序を規定する再生順序情報を作成する配信内容作成工程と、
前記配信内容作成手段で決定された前記複数の広告情報と作成された前記再生順序情報を前記電子クライアントに配信する配信工程と、
を実行させることを特徴とするコンピュータが実行するためのプログラム。
【請求項１０】
前記複数の広告情報は、複数の静止画の広告情報と、複数の動画の広告情報とからなり、前記再生順序情報は、前記複数の静止画の広告情報の再生順序と、前記複数の動画の広告情報の再生順序とを規定することを特徴とする請求項９に記載のコンピュータが実行するためのプログラム。
【請求項１１】
コンピュータが実行するためのプログラムにおいて、
電子ＰＯＰサーバからネットワークを介して配信される広告情報を再生する電子ＰＯＰクライアントに搭載されるコンピュータに、
前記電子ＰＯＰサーバから配信される、複数の広告情報および当該複数の広告情報の再生順序を規定する再生順序情報を受信する受信工程と、
前記複数の広告情報を前記再生順序情報に従って前記表示手段に再生させる表示制御工程と、
をコンピュータに実行させることを特徴とするコンピュータが実行するためのプログラム。
【請求項１２】
前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする請求項１１に記載のコンピュータが実行するためのプログラム。
【請求項１３】
前記表示制御工程では、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする請求項１２に記載のコンピュータが実行するためのプログラム。
【発明の詳細な説明】
【０００１】
【発明の属する技術分野】
本発明は、電子ＰＯＰシステム、電子ＰＯＰサーバ、電子ＰＯＰクライアント、およびコンピュータが実行するためのプログラムに関し、詳細には、店舗の商品陳列棚の近傍に配置される電子ＰＯＰクライアントで再生される広告情報をネットワークを介して電子ＰＯＰサーバから配信する電子ＰＯＰシステム、電子ＰＯＰサーバ、電子ＰＯＰクライアント、およびコンピュータが実行するためのプログラムに関する。
【０００２】
【従来の技術】
従来の電子ＰＯＰ装置には、店舗の商品の近くに設置され、その商品の商品情報をインタラクティブに提供しているものがある（例えば、特許文献１参照）。ここで、ＰＯＰ（Ｐｏｉｎｔ  Ｏｆ  Ｐｕｒｃｈａｓｅ）とは、商品情報のポイントと商品価値等の必要情報を客にダイレクトにＰＲするもの、いわゆる「買い物をする場所の広告」である。この電子ＰＯＰ装置では、商品を見たり手に触れたりして得られる以上の情報を提供することにより、顧客の購買意欲を高めることができる。
【０００３】
しかるに、店舗の商品陳列棚は棚毎に異なる商品が並ぶため、棚毎に電子ＰＯＰ装置を配置する必要があるが、従来の電子ＰＯＰ装置では、各電子ＰＯＰ装置毎に提供する広告情報を設定しているため、その設定が面倒であるという問題がある。とりわけ、大型の店舗では、扱う商品の種類が大量であるためその設定が面倒である。
【０００４】
また、電子ＰＯＰ装置で複数の広告情報を時系列に再生する場合に、その再生順の設定も各電子ＰＯＰ装置毎に行う必要があるため、その再生順の設定が面倒であるという問題がある。
【０００５】
さらに、従来の電子ＰＯＰ装置では、動画の広告情報とインタラクティブな静止画の広告情報を連動させて再生することができないため、顧客を十分に満足させるだけの広告を提供することができないという問題がある。
【０００６】
【特許文献１】
特開２００１−６７５５１号（第１−６頁、第図１−５）
【０００７】
【発明が解決しようとする課題】
本発明は、上記に鑑みてなされたものであり、異なる商品を扱う複数の電子ＰＯＰクライアントが提供する広告情報およびその再生順序を一括管理して、電子ＰＯＰクライアント毎のその提供する広告情報に関する設定を不要とすることが可能な電子ＰＯＰシステム、電子ＰＯＰサーバ、電子ＰＯＰクライアント、およびコンピュータが実行するためのプログラムを提供することを目的とする。
【０００８】
また、本発明は、上記に鑑みてなされたものであり、電子ＰＯＰクライアントで、動画の広告情報とインタラクティブな静止画の広告情報を連動させて再生することにより、顧客を十分に満足させるだけの広告を提供することが可能な電子ＰＯＰシステム、電子ＰＯＰサーバ、電子ＰＯＰクライアント、およびコンピュータが実行するためのプログラムを提供することを目的とする。
【０００９】
【課題を解決するための手段】
上記課題を解決するために、請求項１にかかる発明は、広告情報を再生する複数の電子ＰＯＰクライアントと、前記複数の電子ＰＯＰクライアントに前記広告情報をネットワークを介して配信する電子ＰＯＰサーバとを含む電子ＰＯＰシステムにおいて、前記電子ＰＯＰサーバは、前記電子ＰＯＰクライアント毎に、配信する複数の広告情報を決定するとともに、当該複数の広告情報の再生順序を規定する再生順序情報を作成する配信内容作成手段と、前記配信内容作成手段で決定された前記複数の広告情報と作成された前記再生順序情報を前記電子クライアントに配信する配信手段と、を備え、前記電子ＰＯＰクライアントは、前記電子ＰＯＰサーバから配信される前記複数の広告情報および前記再生順序情報を受信する受信手段と、情報を表示するための表示手段と、前記複数の広告情報を前記再生順序情報に従って前記表示手段に再生させる表示制御手段と、を備えたことを特徴とする。
【００１０】
上記発明によれば、電子ＰＯＰサーバは、電子ＰＯＰクライアント毎に、配信する複数の広告情報を決定するとともに、当該複数の広告情報の再生順序を規定する再生順序情報を作成し、電子ＰＯＰクライアントは、電子ＰＯＰサーバから配信される複数の広告情報を上記再生順序情報に従って再生することにより、電子ＰＯＰサーバ側で、異なる商品を扱う複数の電子ＰＯＰクライアントが提供する広告情報およびその再生順序を一括管理する。
【００１１】
また、請求項２にかかる発明は、請求項１にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする。
【００１２】
上記発明によれば、電子ＰＯＰクライアントでは、再生順序情報に従って、インタラクティブな複数の静止画の広告情報と複数の動画の広告情報を再生する。
【００１３】
また、請求項３にかかる発明は、請求項２にかかる発明において、前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする。
【００１４】
上記発明によれば、電子ＰＯＰクライアントでは、インタラクティブな複数の静止画の広告情報と、複数の動画の広告情報を連動させて再生する。
【００１５】
また、請求項４にかかる発明は、複数の電子ＰＯＰクライアントにネットワークを介して広告情報を配信する電子ＰＯＰサーバにおいて、前記電子ＰＯＰクライアント毎に、配信する複数の広告情報を決定するとともに、当該複数の広告情報の再生順序を規定する再生順序情報を作成する配信内容作成手段と、前記配信内容作成手段で決定された前記複数の広告情報と作成された前記再生順序情報を前記電子クライアントに配信する配信手段と、を備えたことを特徴とする。
【００１６】
上記発明によれば、電子ＰＯＰサーバは、電子ＰＯＰクライアント毎に、配信する複数の広告情報を決定するとともに、当該複数の広告情報の再生順序を規定する再生順序情報を作成して、電子ＰＯＰクライアントに配信することにより、電子ＰＯＰサーバ側で、異なる商品を扱う複数の電子ＰＯＰクライアントが提供する広告情報およびその再生順序を一括管理する。
【００１７】
また、請求項５にかかる発明は、請求項４にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする。
【００１８】
上記発明によれば、電子ＰＯＰクライアントに、再生順序情報に従って、インタラクティブな複数の静止画の広告情報と複数の動画の広告情報を再生させる。
【００１９】
また、請求項６にかかる発明は、電子ＰＯＰサーバからネットワークを介して配信される広告情報を再生する電子ＰＯＰクライアントにおいて、前記電子ＰＯＰサーバから配信される、複数の広告情報および当該複数の広告情報の再生順序を規定する再生順序情報を受信する受信手段と、情報を表示するための表示手段と、前記複数の広告情報を前記再生順序情報に従って前記表示手段に再生させる表示制御手段と、を備えたことを特徴とする。
【００２０】
上記発明によれば、電子ＰＯＰクライアントは、電子ＰＯＰサーバから配信される複数の広告情報を電子ＰＯＰサーバから配信される再生順序情報に従って再生することにより、電子ＰＯＰクライアント毎のその提供する広告情報に関する設定を不要とする。
【００２１】
また、請求項７にかかる発明は、請求項６にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする。
【００２２】
上記発明によれば、電子ＰＯＰクライアントでは、再生順序情報に従って、インタラクティブな複数の静止画の広告情報と複数の動画の広告情報を再生する。
【００２３】
また、請求項８にかかる発明は、請求項７にかかる発明において、前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする。
【００２４】
上記発明によれば、電子ＰＯＰクライアントでは、インタラクティブな複数の静止画の広告情報と、複数の動画の広告情報を連動させて再生する。
【００２５】
また、請求項９にかかる発明は、コンピュータが実行するためのプログラムにおいて、複数の電子ＰＯＰクライアントにネットワークを介して広告情報を配信する電子ＰＯＰサーバに搭載されるコンピュータに、前記電子ＰＯＰクライアント毎に、配信する複数の広告情報を決定するとともに、当該複数の広告情報の再生順序を規定する再生順序情報を作成する配信内容作成工程と、前記配信内容作成手段で決定された前記複数の広告情報と作成された前記再生順序情報を前記電子クライアントに配信する配信工程と、を実行させることを特徴とする。
【００２６】
上記発明によれば、コンピュータでプログラムを実行することにより、電子ＰＯＰサーバは、電子ＰＯＰクライアント毎に、配信する複数の広告情報を決定するとともに、当該複数の広告情報の再生順序を規定する再生順序情報を作成して、電子ＰＯＰクライアントに配信することにより、電子ＰＯＰサーバ側で、異なる商品を扱う複数の電子ＰＯＰクライアントが提供する広告情報およびその再生順序を一括管理する。
【００２７】
また、請求項１０にかかる発明は、請求項９にかかる発明において、前記複数の広告情報は、複数の静止画の広告情報と、複数の動画の広告情報とからなり、前記再生順序情報は、前記複数の静止画の広告情報の再生順序と、前記複数の動画の広告情報の再生順序とを規定することを特徴とする。
【００２８】
上記発明によれば、コンピュータでプログラムを実行することにより、電子ＰＯＰクライアントに、再生順序情報に従って、インタラクティブな複数の静止画の広告情報と複数の動画の広告情報を再生させる。
【００２９】
また、請求項１１にかかる発明は、コンピュータが実行するためのプログラムにおいて、電子ＰＯＰサーバからネットワークを介して配信される広告情報を再生する電子ＰＯＰクライアントに搭載されるコンピュータに、前記電子ＰＯＰサーバから配信される、複数の広告情報および当該複数の広告情報の再生順序を規定する再生順序情報を受信する受信工程と、前記複数の広告情報を前記再生順序情報に従って前記表示手段に再生させる表示制御工程と、をコンピュータに実行させることを特徴とする。
【００３０】
上記発明によれば、コンピュータでプログラムを実行することにより、電子ＰＯＰクライアントは、電子ＰＯＰサーバから配信される複数の広告情報を電子ＰＯＰサーバから配信される再生順序情報に従って再生し、電子ＰＯＰクライアント毎のその提供する広告情報に関する設定を不要とする。
【００３１】
また、請求項１２にかかる発明は、請求項１１にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することを特徴とする。
【００３２】
上記発明によれば、コンピュータでプログラムを実行することにより、電子ＰＯＰクライアントでは、再生順序情報に従って、インタラクティブな複数の静止画の広告情報と複数の動画の広告情報を再生する。
【００３３】
また、請求項１３にかかる発明は、請求項１２にかかる発明において、前記表示制御工程では、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることを特徴とする。
【００３４】
上記発明によれば、コンピュータでプログラムを実行することにより、電子ＰＯＰクライアントでは、インタラクティブな複数の静止画の広告情報と、複数の動画の広告情報を連動させて再生する。
【００３５】
【発明の実施の形態】
以下、図面を参照して、本発明にかかる電子ＰＯＰシステム、電子ＰＯＰサーバ、電子ＰＯＰクライアント、およびコンピュータが実行するためのプログラムの好適な実施の形態を詳細に説明する。なお、本明細書において、「広告情報」を、動画や静止画のデータ形態やファイル形態を問わず、製品情報（スペック、レシピなど）、売り場情報、商品のアンケート、および商品や会社のコマーシャル等の情報を総称する用語として使用する。
【００３６】
［電子ＰＯＰシステムのシステム構成例］
図１は、本実施の形態にかかる電子ＰＯＰシステムの概略の構成例を示す図である。本実施の形態にかかる電子ＰＯＰシステムは、図１に示す如く、タッチパネル付き表示部を備えた小型ＰＣで構成され、電子ＰＯＰサーバ２から配信される広告情報を表示する複数の電子ＰＯＰクライアント１Ｉ１〜１ＩＮと、複数の電子ＰＯＰクライアント１Ｉ１〜１ＩＮが表示する広告情報を管理するとともに、ネットワーク３を介して複数の電子ＰＯＰクライアント１Ｉ１〜１ＩＮに広告情報を配信する電子ＰＯＰサーバ２とで構成されている。複数の電子ＰＯＰクライアント１Ｉ１〜１ＩＮと電子ＰＯＰサーバ２は、ネットワーク３を介して互いにデータ通信可能に接続されている。
【００３７】
上記電子ＰＯＰクライアント１Ｉ１〜１ＩＮは、スーパー、デパート、およびコンビニ等の店舗の商品陳列棚やその近傍に配され、当該商品陳列棚の１または複数の商品の広告情報を表示する。
【００３８】
図２は、図１の電子ＰＯＰシステムの概略のハードウエア構成を示すブロック図である。電子ＰＯＰクライアント１ＩＫ（ここで、「Ｋ」は、複数の電子ＰＯＰクライアント１Ｉ１〜１ＩＮのうちの任意の１つを示している。以下、同様である。）は、図２に示す如く、ＣＰＵ１１と、ＲＡＭ１２と、データ格納部１３と、入力部１４と、表示部１５と、音声出力部１６と、通信部１７とを備えている。
【００３９】
ＣＰＵ１１は、ＲＡＭ１２をワークエリアとして使用し、データ格納部１３に格納されているプログラムに従って、装置全体を制御する中央制御ユニットである。このＣＰＵ１１には、ＲＡＭ１２、データ格納部１３、入力部１４、表示部１５、音声出力部１６、および通信部１７が接続されており、データ通信、メモリへのアクセスによるプログラムの読み出しや各種データのリード／ライト、データ／コマンド入力、表示、および音声出力等を制御する。
【００４０】
ＲＡＭ１２は、指定されたプログラム、入力指示、入力データおよび処理結果等を格納するワークメモリと、表示部１５の表示画面に表示する表示データを一時的に格納する表示メモリとを備えている。
【００４１】
データ格納部１３は、電子ＰＯＰクライアント２の動作に必要なＯＳ１３ａと、インタラクティブ用広告アプリケーション１３ｃが再生するインタラクティブ用広告ファイル（インタラクティブな静止画の広告情報）およびムービー再生スクリーンセーバ１３ｄが再生するスクリーンセーバ用広告ファイル（動画の広告情報）の再生順序を管理する広告再生管理プログラム１３ｂと、インタラクティブ用広告ファイルをインタラクティブに表示部１５に再生するためのインタラクティブ用広告アプリケーション１３ｃと、スクリーンセーバ用広告ファイルを表示部１５に再生するためのムービー再生スクリーンセーバ１３ｄと、電子ＰＯＰサーバ２から受信したインタラクティブ用広告ファイル、スクリーンセーバ用広告ファイル、および再生順序ファイル等が格納される共有フォルダ１３ｅと、他のデータとを格納する。
【００４２】
ここで、「インタラクティブ用広告ファイル」は、製品情報（スペック、レシピなど）、売り場情報、および簡単なアンケート等の静止画の広告情報をインタラクティブに再生するためのファイルである。また、「スクリーンセーバ用広告ファイル」は、動画ＣＭ広告などの動画の広告情報を再生するためのファイルである。
【００４３】
上記データ格納部１３に使用する記録媒体には特に限定がなく、例えば、ＨＤ、ＭＤ、ＣＤ−Ｒ、ＣＤ−ＲＷ、ＤＶＤ−Ｒ、ＤＶＤ−ＲＷ、ＤＶＤ−ＲＡＭ、ＩＣメモリ、フロッピー（登録商標）ディスク、ＺＩＰディスク、およびＭＯ等を利用できる。
【００４４】
表示部１５は、インタラクティブ用広告ファイルやスクリーンセーバ用広告ファイルを静止画や動画などで視覚的に提供するための装置である。表示部１４の画面にはタッチパネルが付属している。このため、プログラムに従ってＣＰＵ１１が画面上に描画するキー（ソフトキー）に触れることで、データを入力できるようになっている。
【００４５】
入力部１４は、データを入力するための装置であり、上述のタッチパネルで構成されている。入力部１４は、上述したようなソフトキー以外に、ハードウエアによるハードキーを有していても良い。音声出力部１６は、インタラクティブ用広告ファイルやスクリーンセーバ用広告ファイルを音声で出力するためのものであり、例えば、スピーカーで構成される。
【００４６】
上記通信部１７は、ネットワーク３とのインターフェースを提供し、例えば、電子ＰＯＰサーバ２から送信されるインタラクティブ用広告ファイル、スクリーンセーバ用広告ファイル、および再生順序ファイル等を受信する。なお、ネットワーク３としては、本実施の形態ではインターネットや無線ＬＡＮを想定しているが、イントラネットやエキストラネット等でもよい。また、ネットワーク３のインターフェースは、特に限定されず、例えば、Ｅｔｈｅｒｎｅｔ（登録商標）、ＩＳＤＮ、ＡＴＭ、ＣＯＭ、ＶＡＮ、ＣＡＴＶ通信網、仮想専用網、電話回線網、移動体通信網、衛生通信網などを用いることができ、有線、無線、光通信のいずれであっても良い。
【００４７】
また、電子ＰＯＰサーバ２は、図２に示す如く、ＣＰＵ２１と、ＲＡＭ２２と、データ格納部２３と、表示部２４と、入力部２５と、通信部２６とを備えている。
【００４８】
上記ＣＰＵ２１は、ＲＡＭ２２をワークエリアとして使用し、データ格納部２３に格納されているプログラムに従って、装置全体を制御する中央制御ユニットである。このＣＰＵ２１には、ＲＡＭ２２、データ格納部２３、表示部２４、入力部２５、および通信部２６が接続されており、データ通信、メモリへのアクセスによるプログラムの読み出しや各種データのリード／ライト、データ／コマンド入力、および表示等を制御する。
【００４９】
ＲＡＭ２２は、指定されたプログラム、入力指示、入力データおよび処理結果等を格納するワークメモリと、表示部２４の表示画面に表示する表示データを一時的に格納する表示メモリとを備えている。
【００５０】
データ格納部２３は、電子ＰＯＰサーバ２の動作に必要なＯＳ２３ａと、電子ＰＯＰクライアント１Ｉｋを管理するためのクライアント管理プログラム２３ｂと、Ｗｅｂブラウザ２３ｃと、複数のインタラクティブ用広告ファイルからなるインタラクティブ用広告ファイル群２３ｄと、複数のスクリーンセーバ用広告ファイルからなるスクリーンセーバ用広告ファイル群２３ｅと、他のデータとが格納される。
【００５１】
表示部２４は、情報を表示するための装置であり、例えば、ＬＣＤ等で構成されている。入力部２５は、データを入力するための装置であり、キーボードやマウス等で構成されている。上記通信部２６は、ネットワーク３とのインターフェースを提供するものであり、例えば、インタラクティブ用広告ファイル、スクリーンセーバ用広告ファイル、および再生順序ファイルを電子ＰＯＰクライアント１Ｉｋにネットワーク３を介して送信する。
【００５２】
図３は、図２の電子ＰＯＰシステムのソフトウエア構成を機能的に示した図である。図３において、電子ＰＯＰクライアント１Ｉｋに搭載される広告再生管理プログラム１３ｂは、広告再生管理機能１３ｂ１を有している。また、電子ＰＯＰサーバ２に搭載されるクライアント管理プログラム２３ｂは、クライアント管理機能２３ｂ１と再生順序管理ＤＢ２３ｂ２を有している。
【００５３】
図４は、再生順序管理ＤＢ２３ｂ２に格納されるデータのフォーマットを示している。再生順序管理ＤＢ２３ｂ２には、Ｗｅｂブラウザ２３ｃの入力画面で入力されたデータが登録される。再生順序管理ＤＢ２３ｂは、図４に示す如く、電子ＰＯＰクライアント１Ｉｋ毎に割り当てたクライアントＰＣ＿ＩＤと、電子ＰＯＰクライアントのＩＰアドレスと、電子ＰＯＰクライアント１Ｉｋに配信するスクリーンセーバ用広告ファイルのファイル名であるスクリーンセーバ用広告ファイル名１〜Ｎと、電子ＰＯＰクライアント１Ｉｋに配信するインタラクティブ用広告ファイルのファイル名であるインタラクティブ用広告ファイル名１〜Ｎを登録する。
【００５４】
つぎに、上記構成の電子ＰＯＰシステムの動作を図５を参照して説明する。
【００５５】
［電子ＰＯＰサーバにおける電子ＰＯＰクライアントの広告再生順序の登録］
図５は、電子ＰＯＰサーバ２が電子ＰＯＰクライアント１Ｉｋに配信する複数のスクリーンセーバ用広告ファイルと複数のインタラクティブ用広告ファイルの再生順序を登録する動作のシーケンス図を示している。図５を参照して、電子ＰＯＰサーバ２が電子ＰＯＰクライアント１Ｉｋに配信する複数のスクリーンセーバ用広告ファイルと複数のインタラクティブ用広告ファイルの再生順序を登録する動作を説明する。
【００５６】
図５において、電子ＰＯＰサーバ２では、まず、管理者がＷｅｂブラウザ２３ｃを操作してクライアントＰＣ＿ＩＤの生成をクライアント管理機能２３ｂ１に指示すると（Ｓ１）、クライアント管理機能２３ｂ１は、再生順序管理ＤＢ２３ｂ２にクライアントＰＣ＿ＩＤの生成を指示する（Ｓ２）。
【００５７】
再生順序管理ＤＢ２３ｂ２は、この指示に応じてクライアントＰＣ＿ＩＤを生成し、生成したクライアントＰＣ＿ＩＤを登録した後（Ｓ３）、生成完了フラグをクライアント管理機能２３ｂ１に送信する（Ｓ４）。クライアントＰＣ＿ＩＤには、１、２、３、・・・が順に割り当てられる。クライアント管理機能２３ｂ１は、この生成完了フラグを受信すると、Ｗｅｂブラウザ２３ｃにクライアント詳細入力フォームを送信し（Ｓ５）、Ｗｅｂブラウザ２３ｃはこのクライアント詳細入力フォームを表示部２４に表示する。
【００５８】
図６は、クライアント詳細入力フォームの表示部２４の表示例を示している。クライアント詳細入力フォーム１００は、ＩＰアドレスの入力欄１０１と、再生順に設けられたスクリーンセーバ用広告ファイル名の入力欄１０２およびインタラクティブ用広告ファイル名の入力欄１０３と、同一欄のファイル名のファイルを閲覧するための参照ボタン１０４と、入力内容を決定するための決定・更新ボタン１０５とを含んでいる。図６に示す例では、スクリーンセーバ用広告ファイル名として、ａａａ．ｍｐｇ、ｂｂｂ．ｍｐｇ、ｃｃｃ．ｍｐｇ、ｄｄｄ．ｍｐｇ、ｅｅｅ．ｍｐｇが再生順に入力されており、また、インタラクティブ用広告ファイル名として、ａａａ．ｅｘｅ、ｂｂｂ．ｅｘｅ、ｃｃｃ．ｅｘｅ、ｄｄｄ．ｅｘｅ、ｅｅｅ．ｅｘｅが再生順に入力されている。
【００５９】
管理者が、このクライアント詳細入力フォーム１００で、電子ＰＯＰクライアント１ＩｋのＩＰアドレスと、電子ＰＯＰクライアント１Ｉｋに再生させる再生順に、スクリーンセーバ用広告ファイル名１〜Ｎと、インタラクティブ用広告ファイル名１〜Ｎを入力し、決定・更新ボタン１０５を押すと、Ｗｅｂブラウザ２３ｃは、入力されたＩＰアドレスと、スクリーンセーバ用広告ファイル名１〜Ｎと、インタラクティブ用広告ファイル名１〜Ｎをクライアント管理機能２３ｂ１に送信する（Ｓ６）。
【００６０】
クライアント管理機能２３ｂ１は、Ｗｅｂブラウザ２３ｃから入力されるＩＰアドレスと、スクリーンセーバ用広告ファイル名１〜Ｎと、インタラクティブ用広告ファイル名１〜Ｎを再生順序管理ＤＢ２３ｂ１に送信する（Ｓ７）。再生順序管理ＤＢ２３ｂ１は、Ｓ３で登録したクライアントＰＣ＿ＩＤに対応させて、受信したＩＰアドレスと、スクリーンセーバ用広告ファイル名１〜Ｎと、インタラクティブ用広告ファイル名１〜Ｎを登録し（Ｓ８）、登録後に登録完了フラグをクライアント管理機能２３ｂ１に送信する（Ｓ９）。
【００６１】
クライアント管理機能２３ｂ１は、この登録完了フラグを受信すると、総クライアント数Ｘ＝Ｘ＋１を記憶し（Ｓ１０）、登録完了画面をＷｅｂブラウザ２３ｃに送信する（Ｓ１１）。Ｗｅｂブラウザ２３ｃは、この登録完了画面を表示部２４に表示する。
【００６２】
このようにして、電子ＰＯＰサーバ２は、電子ＰＯＰクライアント毎に複数のインタラクティブ用広告ファイルおよびスクリーンセーバ用広告ファイルの再生順を登録することが可能となる。
【００６３】
［電子ＰＯＰサーバから電子ＰＯＰクライアントへの広告の配信］
図７は、電子ＰＯＰサーバ２が電子ＰＯＰクライアント１Ｉｋに広告を配信する動作のシーケンス図を示している。図７を参照して、電子ＰＯＰサーバ２が電子ＰＯＰクライアント１Ｉｋに広告を配信する動作を説明する。
【００６４】
図７において、電子ＰＯＰサーバ２では、クライアント管理機能２３ｂ１は、定刻に自動起動し、総クライアント数Ｘを呼び出し、ループ変数Ｉ＝０をセットして（Ｓ２１）、以下のループ（Ｓ２２〜Ｓ２７）を実行する。まず、クライアント管理機能２３ｂ１は、ループ変数Ｉ＝Ｉ＋１として（Ｓ２２）、ループ変数Ｉを再生順序管理ＤＢ２３ｂ２に送信する（Ｓ２３）。再生順序管理ＤＢ２３ｂ２は、ループ変数ＩでクライアントＰＣ＿ＩＤを検索し（Ｓ２４）、ループ変数Ｉと一致したクライアントＰＣ＿ＩＤのＩＰアドレスと、スクリーンセーバ用広告ファイル名１〜Ｎと、インタラクティブ用広告ファイル名１〜Ｎをクライアント管理機能２３ｂ１に送信する（Ｓ２５）。
【００６５】
クライアント管理機能２３ｂ１は、再生順序管理ＤＢ２３ｂ２から送信されるスクリーンセーバ用広告ファイル名１〜Ｎと、インタラクティブ用広告ファイル名１〜Ｎを順番に再生順序ファイル（再生順序情報）として格納する（Ｓ２６）。
【００６６】
図８は、再生順序ファイルの一例を示す図である。図８は、図６に示すデータが入力された場合に作成される再生順序ファイルが作成された場合を示しており、Ｎ＝５（５種類の広告を再生させる）場合を示している。図８に示す再生順序ファイルは、スクリーンセーバ用広告ファイル名が、ａａａ．ｍｐｇ、ｂｂｂ．ｍｐｇ、ｃｃｃ．ｍｐｇ、ｄｄｄ．ｍｐｇ、ｅｅｅ．ｍｐｇの順に配列されており、また、インタラクティブ用広告ファイル名が、ａａａ．ｅｘｅ、ｂｂｂ．ｅｘｅ、ｃｃｃ．ｅｘｅ、ｄｄｄ．ｅｘｅ、ｅｅｅ．ｅｘｅの順に配列されている。この配列順が再生順となる。
【００６７】
そして、クライアント管理機能２３ｂ１は、受信したスクリーンセーバ用広告ファイル名１〜Ｎとインタラクティブ用広告ファイル名１〜Ｎのファイルをデータ格納部１３から読み出し、そのＩＰアドレスで指定される電子ＰＯＰクライアント１Ｉｋに、再生順序ファイル、スクリーンセーバ用広告ファイル、およびインタラクティブ用広告ファイルを通信部２６からネットワーク３を介して送信する（Ｓ２７）。
【００６８】
電子ＰＯＰクライアント１Ｉｋは、再生順序ファイル、スクリーンセーバ用広告ファイル、およびインタラクティブ用広告ファイルを通信部１７で受信してデータ格納部１３の共有フォルダ１３ｅに格納する。
【００６９】
クライアント管理機能２３ｂ１は、ループ変数Ｉ≧Ｘとなるまでループ（Ｓ２２〜Ｓ２８）を繰り返し実行する。これにより、再生順序管理ＤＢ２３ｂ２に登録されている全ての電子ＰＯＰクライアントに、再生順序ファイル、スクリーンセーバ用広告ファイル、およびインタラクティブ用広告ファイルを配信することができる。
【００７０】
［電子ＰＯＰクライアントの広告の再生］
図９は、電子ＰＯＰクライアント１Ｉｋの広告の再生動作のシーケンス図を示している。図９を参照して、電子ＰＯＰクライアント１Ｉｋの広告の再生動作を説明する。
【００７１】
図９において、電子ＰＯＰクライアント１Ｉｋでは、広告再生管理機能１３ｂ１は、共有フォルダ１３ｅに格納した再生順序ファイルをオープンし（Ｓ３１）、スクリーンセーバ用広告ファイル名と、インタラクティブ用広告ファイル名の各リストを再生順序格納用配列に読み込む（Ｓ３２）。図１０は、再生順序格納用配列の一例を示す図である。図１０は、上記図８に示す再生順序ファイルを読み込んだ例を示している。再生順序格納用配列には、再生順序ファイルのスクリーンセーバ用広告ファイル名とインタラクティブ用広告ファイル名がそれぞれ上から順に番号が割り当てられて配列される。
【００７２】
そして、再生広告管理機能１３ｂ１は、変数Ｎ＝（スクリーンセーバ用広告ファイル名の数＋インタラクティブ用広告ファイル名の数）／２をセットし（Ｓ３３）、ループ変数Ｉ＝０をセットした後（Ｓ３４）、以下のループ（Ｓ３５〜Ｓ４８）を実行する。
【００７３】
まず、広告再生管理機能１３ｂ１は、ループ変数Ｉ＝Ｉ＋１をセットし（Ｓ３５）、ムービー再生スクリーンセーバ１３ｄに再生順序格納用配列のＩ番目に再生させるスクリーンセーバ用広告ファイル名を送信する（Ｓ３６）。ムービー再生スクリーンセーバ１３ｄは、受信したスクリーンセーバ用広告ファイル名のスクリーンセーバ用広告ファイルをスクリーンセーバとして再生して表示部１５に表示する（Ｓ３７）。このスクリーンセーバ用広告ファイルを表示部１５の画面に可視的に表示するモードをスクリーンセーバ表示モードと称する。
【００７４】
つづいて、広告再生管理機能１３ｂ１は、インタラクティブ用広告アプリケーション１３ｃに、再生順序格納用配列のＩ番目に実行させるインタラクティブ用広告ファイル名を送信する（Ｓ３８）。インタラクティブ用広告アプリケーション１３ｃは、以前に再生しているファイルがあればクローズし、受信したインタラクティブ用広告ファイル名のインタラクティブ用広告ファイルを新たにバックグラウンドで起動し（Ｓ３９）、起動後に起動完了フラグを広告再生管理機能１３ｂ１に送信する（Ｓ４０）。
【００７５】
ムービー再生スクリーンセーバ１３ｄは、表示部１５の画面（タッチパネル）のタッチを検出すると（Ｓ４１）、再生中のスクリーンセーバを解除し（Ｓ４２）、インタラクティブ用広告アプリケーション１３ｃに処理を移す（Ｓ４３）。これにより、バックグラウンドで起動していたインタラクティブ用広告ファイルが表示部１５の画面に可視的に表示される。インタラクティブ用広告ファイルを表示部１５の画面に可視的に表示するモードをインタラクティブ表示モードと称する。
【００７６】
図１１は、スクリーンセーバ表示モードとインタラクティブ表示モードの表示部１５の画面の表示例を示している。同図（ａ）は、スクリーンセーバ表示モードの画面の表示例を示しており、スクリーンセーバが画面に可視的に表示されている。同図（ｂ）は、インタラクティブ表示モードの画面の表示例を示している。上述したように、スクリーンセーバ表示モードで画面（タッチパネル）がタッチされると、インタラクティブ表示モードに移行する。インタラクティブ表示モードでは、インタラクティブ用広告ファイルが表示部１５の画面に可視的に表示され、画面にメニューが表示される。同図（ｂ）に示す例では、２つのメニュー（詳細な商品情報のメニュー２０１と、プレゼントへの応募のメニュー２０２）が表示されている。
【００７７】
インタラクティブ用広告アプリケーション１３ｃは、画面でメニューが選択されると（Ｓ４４）、インタラクティブ用広告アプリケーション１３ｃは、選択されたメニューの詳細な内容をインタラクティブに表示する（Ｓ４５）。
【００７８】
他方、ムービー再生スクリーンセーバ１３ｄは、スクリーンセーバを解除した後、一定時間をカウントして、入力がなければ、中断したスクリーンセーバを起動する（Ｓ４６）。これにより、再度、スクリーンセーバ表示モードに移行することになる。そして、ムービー再生スクリーンセーバ１３ｄは、最後までスクリーンセーバ用広告ファイルを再生した場合には、再生終了フラグを広告再生管理機能１３ｂ１に送信する（Ｓ４７）。広告再生管理機能１３ｂ１は、この再生終了フラグを受信すると、ループ変数Ｉ≧Ｎであるか否かを判断し（Ｓ４８）、ループ変数Ｉ≧Ｎとなるまでループ（Ｓ３５〜Ｓ４８）を繰り返し実行し、ループ変数Ｉ≧Ｎの場合には、Ｓ３４に戻り、１番目のファイルから再び再生する。
【００７９】
なお、上記した実施の形態では、電子ＰＯＰクライアント１Ｉｋでは、画面（タッチパネル）のタッチを検出した場合に、スクリーンセーバ表示モードからインタラクティブ表示モードに切り替えることとしたが、人体検知センサを設けて、電子ＰＯＰクライアント１Ｉｋから一定範囲内の見学者を検知した場合に、スクリーンセーバ表示モードからインタラクティブ表示モードに切り替えることにしても良い。
【００８０】
また、上記した実施の形態では、スクリーンセーバ表示モードでは、スクリーンセーバ用広告ファイルのみを画面に可視的に表示することとしたが、インタラクティブ用広告ファイルを画面の一部に表示することにしても良い。
【００８１】
また、電子ＰＯＰクライアント１Ｉｋの近傍にプリンタを配置し、電子ＰＯＰクライアント１Ｉｋの画面のハードコピーを印刷可能な構成とすることにしても良い。これにより、ユーザ（お客）が所望の商品の情報の印刷物を入手することが可能となる。
【００８２】
また、電子ＰＯＰサーバ２は、ネットワーク３に接続される他のサーバから電子ＰＯＰクライアント１Ｉｋに配信するコンテンツ（スクリーンセーバ用広告ファイル、インタラクティブ用広告ファイル）を入手することにしても良い。
【００８３】
以上説明したように、本実施の形態によれば、電子ＰＯＰサーバ２は、電子ＰＯＰクライアントに配信する複数のスクリーンセーバ用広告ファイルおよびインタラクティブ用広告ファイルの再生順を各々規定する再生順序ファイルを作成し、複数のスクリーンセーバ用広告ファイル、複数のインタラクティブ用広告ファイル、および再生順序ファイルを電子ＰＯＰクライアント１Ｉｋに配信し、電子ＰＯＰクライアント１Ｉｋは、再生順序ファイルで規定される再生順に従って、複数のスクリーンセーバ用広告ファイルと複数のインタラクティブ用広告ファイルを表示部１５に再生することとしたので、電子ＰＯＰクライアント１Ｉｋで、サーバから必要な広告情報をダウンロードしたり、広告情報の再生順序を指定する手間を省くことが可能となる。また、ムービー再生スクリーンセーバ１３ｄと、インタラクティブ用広告アプリケーション１３ｃを組み合わせて使用することとしたので、Ｐｕｓｈ型とＰｕｌｌ型の両方の広告配信を１台の電子ＰＯＰクライアントで実現するとができ、電子ＰＯＰクライアントを設置するスペースの有効活用を図ることが可能となる。
【００８４】
また、電子ＰＯＰサーバ２は、電子ＰＯＰクライアント毎に、配信するスクリーンセーバ用広告ファイルおよびインタラクティブ用広告ファイルの指定や再生順序ファイルの作成を行うこととしたので、異なる商品を扱う電子ＰＯＰクライアントの広告情報を一括して管理することが可能となる。
【００８５】
また、本実施の形態によれば、電子ＰＯＰクライアント１Ｉｋは、複数のスクリーンセーバ用広告ファイルを表示部１５に可視的に表示するスクリーンセーバ表示モードと、複数のインタラクティブ用広告ファイルを表示部１５に可視的に表示するインタラクティブ表示モードとを有し、通常はスクリーンセーバ表示モードを実行し、画面（タッチパネル）のタッチを検出した場合や人体検知センサによる電子ＰＯＰクライアント１Ｉｋから一定範囲内の見学者を検出した場合等の外部入力を検出した場合に、インタラクティブ表示モードに切り替えることとしたので、通常はスクリーンセーバによる動画のＣＭ広告を再生し、ユーザ（お客）が近傍にいる場合だけインタラクティブ用広告を再生することが可能となる。
【００８６】
なお、本発明は、上記した実施の形態に限定されるものではなく、発明の要旨を変更しない範囲で適宜変形可能である。
【００８７】
【発明の効果】
以上説明したように、請求項１にかかる電子ＰＯＰシステムによれば、広告情報を再生する複数の電子ＰＯＰクライアントと、前記複数の電子ＰＯＰクライアントに前記広告情報をネットワークを介して配信する電子ＰＯＰサーバとを含む電子ＰＯＰシステムにおいて、前記電子ＰＯＰサーバは、前記電子ＰＯＰクライアント毎に、配信する複数の広告情報を決定するとともに、当該複数の広告情報の再生順序を規定する再生順序情報を作成する配信内容作成手段と、前記配信内容作成手段で決定された前記複数の広告情報と作成された前記再生順序情報を前記電子クライアントに配信する配信手段と、を備え、前記電子ＰＯＰクライアントは、前記電子ＰＯＰサーバから配信される前記複数の広告情報および前記再生順序情報を受信する受信手段と、情報を表示するための表示手段と、前記複数の広告情報を前記再生順序情報に従って前記表示手段に再生させる表示制御手段と、を備えたこととしたので、異なる商品を扱う複数の電子ＰＯＰクライアントが提供する広告情報およびその再生順序を一括管理して、電子ＰＯＰクライアント毎のその提供する広告情報に関する設定を不要とすることが可能な電子ＰＯＰシステムを提供することが可能となるという効果を奏する。
【００８８】
また、請求項２にかかる電子ＰＯＰシステムによれば、請求項１にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することとしたので、請求項１にかかる発明の効果に加えて、電子ＰＯＰクライアントでは、再生順序情報に従って、インタラクティブな複数の静止画の広告情報と複数の動画の広告情報を再生することが可能となる。
【００８９】
また、請求項３にかかる電子ＰＯＰシステムによれば、請求項２にかかる発明において、前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることとしたので、請求項２にかかる発明の効果に加えて、電子ＰＯＰクライアントでは、動画の広告情報とインタラクティブな静止画の広告情報を連動させて再生することができ、顧客を十分に満足させるだけの広告を提供することが可能となる。
【００９０】
また、請求項４にかかる電子ＰＯＰサーバによれば、複数の電子ＰＯＰクライアントにネットワークを介して広告情報を配信する電子ＰＯＰサーバにおいて、前記電子ＰＯＰクライアント毎に、配信する複数の広告情報を決定するとともに、当該複数の広告情報の再生順序を規定する再生順序情報を作成する配信内容作成手段と、前記配信内容作成手段で決定された前記複数の広告情報と作成された前記再生順序情報を前記電子クライアントに配信する配信手段と、を備えたとしたので、異なる商品を扱う複数の電子ＰＯＰクライアントが提供する広告情報およびその再生順序を一括管理して、電子ＰＯＰクライアント毎のその提供する広告情報に関する設定を不要とすることが可能な電子ＰＯＰサーバを提供することが可能となるという効果を奏する。
【００９１】
また、請求項５にかかる電子ＰＯＰサーバによれば、請求項４にかかる発明において、前記複数の広告情報は、複数の静止画の広告情報と、複数の動画の広告情報とからなり、前記再生順序情報は、前記複数の静止画の広告情報の再生順序と、前記複数の動画の広告情報の再生順序とを規定することとしたので、請求項１にかかる発明の効果に加えて、電子ＰＯＰクライアントでは、再生順序情報に従って、インタラクティブな複数の静止画の広告情報と複数の動画の広告情報を再生することが可能となる。
【００９２】
また、請求項６にかかる電子ＰＯＰクライアントによれば、電子ＰＯＰサーバからネットワークを介して配信される広告情報を再生する電子ＰＯＰクライアントにおいて、前記電子ＰＯＰサーバから配信される、複数の広告情報および当該複数の広告情報の再生順序を規定する再生順序情報を受信する受信手段と、情報を表示するための表示手段と、前記複数の広告情報を前記再生順序情報に従って前記表示手段に再生させる表示制御手段と、を備えたこととしたので、電子ＰＯＰクライアントは、電子ＰＯＰサーバから配信される複数の広告情報を電子ＰＯＰサーバから配信される再生順序情報に従って再生することとができ、電子ＰＯＰクライアント毎のその提供する広告情報に関する設定を不要とすることが可能な電子ＰＯＰクライアントを提供することが可能となるという効果を奏する。
【００９３】
また、請求項７にかかる電子ＰＯＰクライアントによれば、請求項６にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することとしたので、請求項６にかかる発明の効果に加えて、再生順序情報に従って、インタラクティブな複数の静止画の広告情報と複数の動画の広告情報を再生することが可能となる。
【００９４】
また、請求項８にかかる電子ＰＯＰクライアントによれば、請求項７にかかる発明において、前記表示制御手段は、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることとしたので、請求項７にかかる発明の効果に加えて、動画の広告情報とインタラクティブな静止画の広告情報を連動させて再生することができ、顧客を十分に満足させるだけの広告を提供することが可能となる。
【００９５】
また、請求項９にかかるコンピュータが実行するためのプログラムによれば、電子ＰＯＰクライアントにネットワークを介して広告情報を配信する電子ＰＯＰサーバに搭載されるコンピュータでプログラムを実行することにより、前記電子ＰＯＰクライアント毎に、配信する複数の広告情報を決定するとともに、当該複数の広告情報の再生順序を規定する再生順序情報を作成する配信内容作成工程と、前記配信内容作成手段で決定された前記複数の広告情報と作成された前記再生順序情報を前記電子クライアントに配信する配信工程と、を実現することとしたので、電子ＰＯＰサーバで異なる商品を扱う複数の電子ＰＯＰクライアントが提供する広告情報およびその再生順序を一括管理して、電子ＰＯＰクライアント毎のその提供する広告情報に関する設定を不要とすることが可能なコンピュータが実行するためのプログラムを提供することが可能となるという効果を奏する。
【００９６】
また、請求項１０にかかるコンピュータが実行するためのプログラムによれば、請求項９にかかる発明において、前記複数の広告情報は、複数の静止画の広告情報と、複数の動画の広告情報とからなり、前記再生順序情報は、前記複数の静止画の広告情報の再生順序と、前記複数の動画の広告情報の再生順序とを規定することとしたので、請求項９にかかる発明の効果に加えて、電子ＰＯＰクライアントでは、再生順序情報に従って、インタラクティブな複数の静止画の広告情報と複数の動画の広告情報を再生することが可能となる。
【００９７】
また、請求項１１にかかるコンピュータが実行するためのプログラムによれば、電子ＰＯＰサーバからネットワークを介して配信される広告情報を再生する電子ＰＯＰクライアントに搭載されるコンピュータでプログラムを実行することにより、前記電子ＰＯＰサーバから配信される、複数の広告情報および当該複数の広告情報の再生順序を規定する再生順序情報を受信する受信工程と、前記複数の広告情報を前記再生順序情報に従って前記表示手段に再生させる表示制御工程と、を実現することとしたので、電子ＰＯＰクライアントは、電子ＰＯＰサーバから配信される複数の広告情報を電子ＰＯＰサーバから配信される再生順序情報に従って再生することができ、電子ＰＯＰクライアント毎のその提供する広告情報に関する設定を不要とすることが可能なコンピュータが実行するためのプログラムを提供することが可能となるという効果を奏する。
【００９８】
また、請求項１２にかかるコンピュータが実行するためのプログラムによれば、請求項１１にかかる発明において、前記複数の広告情報は、インタラクティブな複数の静止画の広告情報と、複数の動画の広告情報とからなり、前記再生順序情報は、前記複数の静止画の広告情報の再生順序と、前記複数の動画の広告情報の再生順序とを規定することとしたので、請求項１１にかかる発明の効果に加えて、再生順序情報に従って、インタラクティブな複数の静止画の広告情報と複数の動画の広告情報を再生することが可能となる。
【００９９】
また、請求項１３にかかるコンピュータが実行するためのプログラムによれば、請求項１２にかかる発明において、前記表示制御工程では、前記複数の動画の広告情報を前記再生順序情報に従って前記表示手段に表示する動画表示モードと、前記複数の静止画の広告情報を前記再生順序情報に従って前記表示手段にインタラクティブに表示するインタラクティブ表示モードとを有し、前記動画表示モードを実行中に外部入力を検出した場合に、前記インタラクティブ表示モードに切り替えることとしたので、請求項７にかかる発明の効果に加えて、動画の広告情報とインタラクティブな静止画の広告情報を連動させて再生することができ、顧客を十分に満足させるだけの広告を提供することが可能となる。
【図面の簡単な説明】
【図１】本実施の形態にかかる電子ＰＯＰシステムの概略の構成例を示す図である。
【図２】図１の電子ＰＯＰシステムの概略のハードウエア構成を示すブロック図である。
【図３】図２の電子ＰＯＰシステムのソフトウエア構成を機能的に示した図である。
【図４】図３の再生順序管理ＤＢに格納されるデータのフォーマットを示す図である。
【図５】電子ＰＯＰサーバが電子ＰＯＰクライアントに配信する複数のスクリーンセーバ用広告ファイルと複数のインタラクティブ用広告ファイルの再生順序を登録する動作のシーケンス図である。
【図６】クライアント詳細入力フォームの表示部の表示例を示す図である。
【図７】電子ＰＯＰサーバが電子ＰＯＰクライアントに広告を配信する動作のシーケンス図を示している。
【図８】再生順序ファイルの一例を示す図である。
【図９】電子ＰＯＰクライアントの広告の再生動作のシーケンス図である。
【図１０】再生順序格納用配列の一例を示す図である。
【図１１】スクリーンセーバ表示モードとインタラクティブ表示モードの表示部の画面の表示例を示す図である。
【符号の説明】
１Ｉ１〜１ＩＮ（１Ｉｋ）  電子ＰＯＰクライアント
２      電子ＰＯＰサーバ
１１    ＣＰＵ
１２    ＲＡＭ
１３    データ格納部
１３ａ  ＯＳ
１３ｂ  広告再生管理プログラム
１３ｂ１  広告再生管理機能
１３ｃ  インタラクティブ用広告アプリケーション
１３ｄ  ムービー再生スクリーンセーバ
１３ｅ  共有フォルダ
１４    入力部
１５    表示部
１６    音声出力部
１７    通信部
２１    ＣＰＵ
２２    ＲＡＭ
２３    データ格納部
２３ａ  ＯＳ
２３ｂ  クライアント管理プログラム
２３ｂ１  クライアント管理機能
２３ｂ２  再生順序管理ＤＢ
２３ｃ  Ｗｅｂブラウザ
２３ｄ  インタラクティブ用広告ファイル群
２３ｅ  スクリーンセーバ用広告ファイル群
２４    表示部
２５    入力部
２６    通信部
【図１】
2004191666.tif 000003
【図２】
2004191666.tif 000004
【図３】
2004191666.tif 000005
【図４】
2004191666.tif 000006
【図５】
2004191666.tif 000007
【図６】
2004191666.tif 000008
【図７】
2004191666.tif 000009
【図８】
2004191666.tif 000010
【図９】
2004191666.tif 000011
【図１０】
2004191666.tif 000012
【図１１】
2004191666.tif 000013